(57)【要約】      （修正有）【課題】縦置きと横置きの両方の状態において、内部に高温の空気が滞留することを防止することができる表示機を提供する。【解決手段】筐体は、横置き状態にあっては、鉛直方向において、第１側面板１０が下側に、第３側面板３０が上側に配置され、縦置き状態にあっては、鉛直方向において、第２側面板２０が下側に、第４側面板４０が上側に配置され、第１側面板に、第１吸気口１３と、排気ファン７１からのダクトに接続された排気口１１とが設けられ、第２側面板に第２吸気口２１，２２が設けられており、第１吸気口は排気ファンの近傍に配置されており、筐体において、表面板、背面板５０、第３側面板、及び、第４側面板には吸気口及び排気口が形成されていない。【選択図】図６
2019015803.tif 000002
【特許請求の範囲】
【請求項１】
前面が開口とされた筐体と、
前記開口を覆う矩形状の表面板と、
前記筐体内に配置され、映像又は画像を前記表面板に表示可能とする表示部と、
前記筐体内に配置されたスピーカーと、
前記筐体内に配置された排気ファンとを備える表示機であって、
前記筐体は、前記表面板に対向する矩形状の背面板と、前記背面板の４辺から前記表面板の４辺へそれぞれ延びる４つの側面板を備え、
前記４つの側面板は、互いに対向する第１側面板及び第３側面板と、前記第１側面板及び前記第３側面板に略直交する方向に延びるとともに、互いに対向する第２側面板及び第４側面板とを備え、
前記第１側面板及び前記第３側面板をそれぞれ水平方向に沿って延びるように配置した横置き状態と、前記第１側面板及び前記第３側面板をそれぞれ鉛直方向に沿って延びるように配置した縦置き状態とを有し、
前記横置き状態にあっては、鉛直方向において、前記第１側面板が下側に、前記第３側面板が上側に配置され、
前記縦置き状態にあっては、鉛直方向において、前記第２側面板が下側に、前記第４側面板が上側に配置され、
前記第１側面板に、第１吸気口と、前記排気ファンからのダクトに接続された排気口とが設けられ、前記第２側面板に第２吸気口が設けられており、
前記第１吸気口は前記排気ファンの近傍に配置されており、
前記筐体において、前記表面板、前記背面板、前記第３側面板、及び、前記第４側面板には吸気口及び排気口が形成されていないことを特徴とする表示機。
【請求項２】
前記第１吸気口の近傍に、前記背面板から前記表面板に沿って軸を配置した軸流ファンが設けられている請求項１に記載の表示機。
【請求項３】
前記表面板と前記表示部との間に空気流路が形成され、
前記第２吸気口から吸入された空気の少なくとも一部が前記空気流路に導かれ、
前記空気流路の出口近傍に前記排気ファンが配置されている請求項１又は請求項２に記載の表示機。
【請求項４】
前記４つの側面板はそれぞれ板状のフレーム体によって外側が覆われており、
前記第１側面板を覆うフレーム体と前記第２側面板を覆うフレーム体には、外気を吸入可能なスリットがそれぞれ設けられている請求項１から請求項３のいずれか１項に記載の表示機。
【請求項５】
前記スピーカーは、前記第１側面板の近傍と前記第３側面板の近傍の２箇所に設けられ、前記第１側面板の近傍のスピーカーが発した音は、前記第１側面板を覆うフレーム体に設けられた前記スリットから外部へ放射され、前記第３側面板の近傍のスピーカーが発した音は、前記第３側面板とこれを覆うフレーム体の間の空間で振動に変換され、この振動に対応する音が前記フレーム体から外部へ放射される請求項１から請求項４のいずれか１項に記載の表示機。
【請求項６】
前記表示機の温度を検知する温度センサと、前記表示機の表面における照度を検知する照度センサとを備え、これらのセンサによる検知結果に基づいて、前記排気ファンの動作が制御される請求項１から請求項５のいずれか１項に記載の表示機。
【請求項７】
前記表示機の温度を検知する温度センサと、前記表示機における照度を検知する照度センサとを備え、これらのセンサによる検知結果に基づいて、前記排気ファン及び前記軸流ファンの動作が制御される請求項２から請求項５のいずれか１項に記載の表示機。
【請求項８】
前記排気ファンと前記軸流ファンは互いに同期するように制御される請求項７に記載の表示機。
【発明の詳細な説明】
【技術分野】
【０００１】
本発明は、表面板に映像又は画像を表示可能な表示部を備え、特に直射日光が当たる屋外や屋内の窓際等に設置するのに好適な表示機に関する。
【背景技術】
【０００２】
特許文献１に記載の装置は、基台上に立設されたポールに表示装置を取り付けた構成を有し、例えば店先や道路に対して設置される。表示装置は、その前面側において、上方に液晶表示部を、下方にＬＥＤ表示部を併設する状態で配設されている。表示装置の本体部の底部には、外部と本体部内とを連通する吸気口が形成され、側面には外部と本体内とを連通する排気口が形成されている。本体部の上方には、冷却ファンが配設され、この冷却ファンには排気口に連なる排気ダクトが接続されている。冷却ファンを回転駆動させることによって、吸気口から外方の空気が吸気され、吸気された空気は、冷却ファンと排気ダクトを介して排気口から外部へ排気可能とされている。
【先行技術文献】
【特許文献】
【０００３】
【特許文献１】特開２０１０−２８２１０９号公報
【発明の概要】
【発明が解決しようとする課題】
【０００４】
特許文献１の表示装置を縦置き設置した場合には、底部の吸気口から外気が導入され、吸気口よりも上方に位置する排気口から排気される構造により、本体部の高温の空気を放出しやすくなっている。しかし、この表示装置を横置き設置した場合には、排気口が底部に位置し、吸気口が側部に位置するため、本体部内に熱が滞留しやすくなってしまうという問題がある。特に、表示装置を屋外に設置したときには本体内の温度が相当な高温になってしまうため、例えば表示装置に液晶パネルを用いた場合には、液晶の黒化現象が発生してしまうおそれがある。
【０００５】
そこで本発明は、縦置きと横置きの両方の状態において、内部に高温の空気が滞留することを防止することができる表示機を提供することを目的とする。
【課題を解決するための手段】
【０００６】
上記課題を解決するために、本発明の表示機は、前面が開口とされた筐体と、開口を覆う矩形状の表面板と、筐体内に配置され、映像又は画像を表面板に表示可能とする表示部と、筐体内に配置されたスピーカーと、筐体内に配置された排気ファンとを備える表示機であって、筐体は、表面板に対向する矩形状の背面板と、背面板の４辺から表面板の４辺へそれぞれ延びる４つの側面板を備え、４つの側面板は、互いに対向する第１側面板及び第３側面板と、第１側面板及び第３側面板に略直交する方向に延びるとともに、互いに対向する第２側面板及び第４側面板とを備え、第１側面板及び第３側面板を水平方向に沿って延びるように配置した横置き状態と、第１側面板及び第３側面板をそれぞれ鉛直方向に沿って延びるように配置した縦置き状態とを有し、横置き状態にあっては、鉛直方向において、第１側面板が下側に、第３側面板が上側に配置され、縦置き状態にあっては、鉛直方向において、第２側面板が下側に、第４側面板が上側に配置され、第１側面板に、第１吸気口と、排気ファンからのダクトに接続された排気口とが設けられ、第２側面板に第２吸気口が設けられており、第１吸気口は排気ファンの近傍に配置されており、筐体において、表面板、背面板、第３側面板、及び、第４側面板には吸気口及び排気口が形成されていないことを特徴としている。
【０００７】
本発明の表示機においては、第１吸気口の近傍に、背面板から表面板に沿って軸を配置した軸流ファンが設けられていることが好ましい。
【０００８】
本発明の表示機においては、表面板と表示部との間に空気流路が形成され、第２吸気口から吸入された空気の少なくとも一部が空気流路に導かれ、空気流路の出口近傍に排気ファンが配置されていることが好ましい。
【０００９】
本発明の表示機において、４つの側面板はそれぞれ板状のフレーム体によって外側が覆われており、第１側面板を覆うフレーム体と第２側面板を覆うフレーム体には、外気を吸入可能なスリットがそれぞれ設けられていることが好ましい。
【００１０】
本発明の表示機においては、スピーカーは、第１側面板の近傍と第３側面板の近傍の２箇所に設けられ、第１側面板の近傍のスピーカーが発した音は、第１側面板を覆うフレーム体に設けられたスリットから外部へ放射され、第３側面板の近傍のスピーカーが発した音は、第３側面板とこれを覆うフレーム体の間の空間で振動に変換され、この振動に対応する音がフレーム体から外部へ放射されることが好ましい。
【００１１】
本発明の表示機においては、表示機の温度を検知する温度センサと、表示機の表面における照度を検知する照度センサとを備え、これらのセンサによる検知結果に基づいて、排気ファンの動作が制御され、又は、排気ファン及び軸流ファンの動作が制御されることが好ましい。排気ファンと軸流ファンは互いに同期するように制御されることが好ましい。
【発明の効果】
【００１２】
本発明によると、縦置き状態と横置き状態のいずれにおいても、高温の空気を外部へ排出しやすくなることから、高温の空気が滞留することで表示部がダメージを受けるのを防ぐことができる。さらに、縦置き状態と横置き状態のいずれにおいても、十分な防滴性を確保することができる。
【図面の簡単な説明】
【００１３】
【図１】（ａ）、（ｂ）は本発明の実施形態に係る表示機の構成を異なる方向から示す斜視図である。
【図２】（ａ）は実施形態に係る表示機を縦置きした状態を示す正面図、（ｂ）は横置きした状態を示す正面図である。
【図３】実施形態に係る表示機の分解斜視図である。
【図４】実施形態に係る表示機の分解斜視図であって、図３とは異なる方向から見た図である。
【図５】（ａ）、（ｂ）は、実施形態における表面板１６０とフレーム体２１０、２２０、２３０、２４０とを外した状態の表示機の構成を異なる方向から示す斜視図である。
【図６】（ａ）、（ｂ）は、外装を外して筐体を露出させた状態の表示機を異なる方向から示す斜視図である。
【図７】図２（ａ）のＡ−Ａ’線に沿った断面図である。
【図８】図７のＡ１部分の拡大図である。
【図９】図７のＡ２部分の拡大図である。
【図１０】図２（ａ）のＢ−Ｂ’線に沿った断面図の一部拡大図である。
【図１１】実施形態における第１案内パネル１２１及び第２案内パネル１２３とカバー材１２２との配置関係を示す平面図である。
【図１２】結合前の第１案内パネル１２１と第２案内パネル１２３の構成を示す斜視図である。
【図１３】実施形態における第１案内パネル１２１と第２案内パネル１２３を互いに結合した状態を示す斜視図である。
【図１４】実施形態に係る表示機の機能ブロック図である。
【発明を実施するための形態】
【００１４】
以下、本発明の実施形態に係る表示機について図面を参照しつつ詳しく説明する。図１（ａ）、（ｂ）は本実施形態に係る表示機１００の構成を異なる方向から示す斜視図である。図２（ａ）は表示機１００を縦置きした状態を示す正面図、（ｂ）は横置きした状態を示す正面図である。図３と図４は、表示機１００を異なる方向から見た分解斜視図である。図５（ａ）、（ｂ）は、表面板１６０とフレーム体２１０、２２０、２３０、２４０とを外した状態の表示機１００の構成を異なる方向から示す斜視図である。図６（ａ）、（ｂ）は、外装を外して筐体１０１を露出させた状態の表示機１００を異なる方向から示す斜視図である。図７は図２（ａ）のＡ−Ａ’線に沿った断面図、図８は図７のＡ１部分の拡大図、図９は図７のＡ２部分の拡大図である。図１０は、図２（ａ）のＢ−Ｂ’線に沿った断面図の一部拡大図である。図１１は、第１案内パネル１２１及び第２案内パネル１２３とカバー材１２２との配置関係を示す平面図である。図１２は、結合前の第１案内パネル１２１と第２案内パネル１２３の構成を示す斜視図である。図１３は、第１案内パネル１２１と第２案内パネル１２３を互いに結合した状態を示す斜視図である。図１４は表示機１００の機能ブロック図である。以下の説明では、表示機１００に対して、図２（ａ）の上下方向に対応する方向を長手方向又は上下方向、同図の左右方向に対応する方向を幅方向又は左右方向、図７の左右方向に対応する方向を厚み方向と呼ぶことがある。また、筐体１０１から離れる方向を外側として説明する。
【００１５】
表示機１００は、例えば直射日光が当たる店舗の屋外や店頭はもちろん、屋内の窓際等において設置して使用することが可能とされ、店先や道路に対して設置される。表示機１００は、図２（ａ）に示すように、正面から観て縦長の長方形状とされ、全体扁平の面状からなる金属製の筐体１０１を備え、図３と図４に示すように、筐体１０１の前面開口１０２を覆うように、透明な合成樹脂材からなり、縦長の長方形状をなす平板状の表面板１６０を取り付けて構成される。
【００１６】
図３・図４に示すように、筐体１０１は、表面板１６０と対向する、正面視長方形状の背面板５０と、背面板５０の４辺のそれぞれから長方形状の表面板１６０の４辺の対応する辺へ向けて、厚み方向に沿ってそれぞれ延びる４つの側面板、すなわち左側面板１０（第１側面板）、底板２０（第２側面板）、右側面板３０（第３側面板）、及び、天板４０（第４側面板）とを備える。
【００１７】
図６に示すように、筐体１０１の内部であって背面板５０上には、排気ファン７１、軸流ファン７３、及び、２つのスピーカー８１、８３、ＬＣＤコントローラ９１、及び、ＬＥＤコントローラ９２が配置されている。
排気ファン７１は、筐体１０１の上部であって天板４０の近傍に配置され、排気ダクト７２の一端が接続されている。排気ダクト７２の他端は、左側面板１０の上部において左側面板１０を厚み方向に貫通するように設けられた排気口１１に接続されている。筐体１０１の上部には、表示機１００を縦置き状態にしたときに筐体１０１内で暖められた空気が集まりやすく、排気ファン７１は、高温の空気を吸い込んで、排気ダクト７２を通じて筐体１０１の外部へ排出させる。
【００１８】
軸流ファン７３は、筐体１０１の上部であって、排気ファン７１の下方に配置されている。また、軸流ファン７３は、左側面板１０の上部において排気口１１の下方に設けられた吸気口１３（第１吸気口）の近傍に配置されている。図１０に示すように、軸流ファン７３は、背面板５０側から吸い込んだ空気を前面開口１０２側へ送出する。軸流ファン７３の前方には液晶表示部６２が配置されており、軸流ファン７３から排出された空気は液晶表示部６２の背面６２ａに向かって流れるため、背面６２ａとその周辺の空気を循環させることができる。
【００１９】
図６（ｂ）に示すように、２つのスピーカー８１、８３は筐体１０１の幅方向の両端にほぼ対称的に配置されており、第１スピーカー８１は左側面板１０の近傍に配置され、第２スピーカー８３は右側面板３０の近傍に配置される。第１スピーカー８１にはスピーカーダクト８２が接続されており、スピーカーダクト８２は、左側面板１０を厚み方向に貫通するように設けられた放射孔１２に接続されている。これにより、第１スピーカー８１で発せられた音はスピーカーダクト８２と放射孔１２を経て筐体１０１の外部へ放射される。図６（ａ）に示すように、第２スピーカー８３にはスピーカーダクト８４が接続されており、スピーカーダクト８４は、右側面板３０に密着するように取り付けられている。図３などに示すように、カバー材１３０においてスピーカーダクト８４に対応する位置には、厚み方向に貫通するように放射孔１３１が設けられている。これにより、第２スピーカー８３で発せられた音はスピーカーダクト８４を経て筐体１０１の右側面板３０で振動変換され、この振動はカバー材１３０に伝えられる。フレーム体２３０には、カバー材１３０の振動と、放射孔１３１を通る右側面板３０からの振動とが伝わり、これらの振動に対応する音がフレーム体２３０から外部へ放射される。放射孔１２は、筐体１０１の長手方向において吸気口１３と略同じ高さ位置に設けられており、放射孔１２と吸気口１３は筐体１０１の厚さ方向に並ぶように配置されている。
【００２０】
図５（ａ）、（ｂ）に示すように、筐体１０１の内部において、前面開口１０２側には、上から下側へ順に、冷却ファン７１吸入側の空気の流れを調整する役割をもつシールド板６１、液晶表示部６２（ＬＣＤ）、ＬＥＤ表示部６３（ＬＥＤ）が配置されている。液晶表示部６２はＬＣＤコントローラ９１による制御にしたがって映像や画像を表示する。ＬＥＤ表示部６３は、例えばマトリックス状に配置された複数の発光ダイオード（ＬＥＤ）によって構成され、ＬＥＤコントローラ９２による制御にしたがって、それぞれの発光ダイオードを独立駆動することによって所定の画像を表示する。
【００２１】
表示部としての、液晶表示部６２とＬＥＤ表示部６３は、左側面板１０と右側面板３０に対して、幅方向の両端部に設けた取り付け部（不図示）がねじ止め等によって固定されている。液晶表示部６２とＬＥＤ表示部６３は、筐体１０１の厚み方向において、前面開口１０２に取り付けられた表面板１６０との間に、隙間Ｓ１０（図７、図８）が形成されるように配置される。液晶表示部６２とＬＥＤ表示部６３は、ＬＣＤコントローラ９１とＬＥＤコントローラ９２にそれぞれ接続されている（図１４）。
なお、表示部としての液晶表示部６２とＬＥＤ表示部６３の構成は各図に示すものに限定されない。例えば、液晶表示部とＬＥＤ表示部の配置や大きさを変更してもよく、一方を省略してもよい。また、液晶とＬＥＤ以外の表示部、例えば有機ＥＬ素子を用いても良い。
【００２２】
シールド板６１は、パッキン（不図示）を介して表面板１６０の背面（筐体１０１の内部側の面）に予め固定されており、表面板１６０を筐体１０１に対して取り付けることによって筐体１０１内に配置される。図８に示すように、シールド板６１は、液晶表示部６２の上方を囲むように背面板５０側へ延びており、排気ファン７１の吸入口７１ａの上部に至っている。これにより、隙間Ｓ１０上部の出口からシールド板６１側へ流出した、液晶表示部６２近傍の暖かい空気はシールド板６１によって排気ファン７１側へ流れやすくなっており、これにより、筐体１０１の上部での高温の空気の滞留を防ぐことができる。
【００２３】
図３・図４に示すように、左側面板１０の外側には、何れも金属製である、第１ダクトパネル１１１、第２ダクトパネル１１２、及び、カバー材１１３が設置されている。
第１ダクトパネル１１１は、筐体１０１の長手方向に沿って延びる板材であり、左側面板１０の排気口１１に対応する位置に貫通孔１１１ａが設けられ、さらに、枠状の周縁部１１１ｂが外側に突出している。第１ダクトパネル１１１においては、貫通孔１１１ａの下方に、周縁部１１１ｂよりも左側面板１０側へ凹んだ有底の凹部１１１ｃが形成される（図５（ａ））。
【００２４】
第２ダクトパネル１１２は、筐体１０１の長手方向に沿って延びる板材であって、左側面板１０の放射孔１２と吸気口１３に対応する位置に貫通孔１１２ａが設けられ、さらに、枠状の周縁部１１２ｂが外側に突出している。第２ダクトパネル１１２においては、貫通孔１１２ａの下方に、周縁部１１２ｂよりも左側面板１０側へ凹んだ有底の凹部１１２ｃが形成される（図５（ａ））。
カバー材１１３は、左側面板１０のうちで、第１ダクトパネル１１１と第２ダクトパネル１１２で覆われていない範囲を覆っている。
【００２５】
第１ダクトパネル１１１、第２ダクトパネル１１２、及び、カバー材１１３の外側には、これらを覆うように、長板状で金属製のフレーム体２１０が設けられている。フレーム体２１０には、その厚み方向に貫通する、第１スリット２１１と第２スリット２１２とが形成されている。第１スリット２１１は、筐体１０１の長手方向において、第１ダクトパネル１１１の凹部１１１ｃに対応する位置に設けられ、第２スリット２１２は、第２ダクトパネル１１２の凹部１１２ｃに対応する位置に設けられている。すなわち、上下方向において、第１スリット２１１は第１ダクトパネル１１１の貫通孔１１１ａとずれた位置に設けられ、第２スリット２１２は、第２ダクトパネル１１２の貫通孔１１２ａとずれた位置に設けられている。
【００２６】
このような構成においては、排気ファン７１の動作によって、排気ダクト７２と排気口１１を経て排出された空気は、第１ダクトパネル１１１の貫通孔１１１ａから凹部１１１ｃを経て第１スリット２１１から外部へ排出される。貫通孔１１１ａと第１スリット２１１の位置を上下にずらすことによって、排気性能を維持しながら、左側面板１０の排気口１１から筐体１０１内へ水が浸入することを防止できる。したがって、図２（ａ）に示すように左側面板１０を鉛直方向に沿って配置した縦置き状態としても所望の防滴性を確保することができる。なお、図２（ｂ）に示すようにフレーム体２１０を鉛直方向下側に配置した横置き状態においても、第１スリット２１１は下向きとなるため十分な防滴性を発揮できる。
【００２７】
第１スピーカー８１で発せられ、スピーカーダクト８２と放射孔１２を経て放射された音は、第２ダクトパネル１１２の貫通孔１１２ａを経て第２スリット２１２から外部へ放射される。貫通孔１１２ａと第２スリット２１２の位置を上下にずらすことによって、音の放射性を維持しながら、左側面板１０の放射孔１２から筐体１０１内へ水が浸入することを防止できる。したがって、図２（ａ）に示すよう縦置き状態としても所望の防滴性を確保することができる。
【００２８】
軸流ファン７３を動作させると、吸気口１３から貫通孔１１２ａ、凹部１１２ｃを経て第２スリット２１２に至る経路において所定の負圧状態となるため、筐体１０１が縦置きと横置きのいずれの状態であっても、第２スリット２１２から外気が吸引される。ここで、貫通孔１１２ａと第２スリット２１２の位置を上下（筐体１０１の長手方向）にずらすことによって、吸気性能を維持しながら、左側面板１０の吸気口１３から筐体１０１内へ水が浸入することを防止できる。したがって、図２（ａ）に示すように左側面板１０を鉛直方向に沿って配置した縦置き状態としても所望の防滴性を確保することができる。
なお、図２（ｂ）に示すようにフレーム体２１０を鉛直方向下側に配置した横置き状態においては、第２スリット２１２は下向きとなるため十分な防滴性を発揮できる。
【００２９】
図３・図４に示すように、底板２０には、その厚み方向に貫通する２つの吸気口２１、２２（第２吸気口）が設けられている。これらは、筐体１０１の幅方向に沿って、左側面板１０側に吸気口２１、右側面板３０側に吸気口２２となるように並んで設けられている。
【００３０】
底板２０の外側には、第１案内パネル１２１、カバー材１２２、及び、第２案内パネル１２３が設けられる。
第１案内パネル１２１は、筐体１０１の幅方向に沿って延びる長板状をなし、底板２０に取り付けたときに吸気口２１、２２のそれぞれに対応する位置に２つの通気孔１２１ａ、１２１ｂが配置されている。これらの通気孔１２１ａ、１２１ｂは、第１案内パネル１２１を厚み方向にそれぞれ貫通しており、その平面形状は吸気口２１、２２とそれぞれ略同一である。また、図１２に示すように、第１案内パネル１２１の外縁部には、長手方向の一端からは結合片１２１ｃが、他端からは一対の係止片１２１ｄが、それぞれ第２案内パネル１２３側に延びるように設けられている。さらに、第１案内パネル１２１の外縁部のうち幅方向の両端部にも第２案内パネル１２３側に突出した１対の舌部１２１ｅが設けられている。
【００３１】
カバー材１２２は、底板２０の底面のうち、第１案内パネル１２１で覆われない範囲を覆うように配置されている。ここで、カバー材１２２は、図１１に示すように、平面視において、第１案内パネル１２１及び第２案内パネル１２３の外縁部との間に隙間Ｓ２０を有するように配置される。
【００３２】
第２案内パネル１２３は、長板状をなし、第１案内パネル１２１の外側に配置される。図１１に示すように、第２案内パネル１２３の主平面１２３ａは平面視で四角形状をなしており、その外縁から第１案内パネル１２１側（上側）へ延びる壁部１２３ｂによって、第１案内パネル１２１を内部に収容する空間が形成される。この空間に収容された第１案内パネル１２１は、図１２に示すように、係止片１２１ｄを主平面１２３ａに係止させ、かつ、結合片１２１ｃを主平面１２３ａにねじ止め等によって固定することによって、第２案内パネル１２３に結合される。このように結合された状態において係止片１２１ｄが形成された側の端部では、第１案内パネル１２１と第２案内パネル１２３との間に隙間Ｓ２１が形成され、また、第１案内パネル１２１の幅方向の両端部と第２案内パネル１２３の幅方向両端の壁部１２３ｂとの間に一対の隙間Ｓ２２、Ｓ２３が形成される。以上の構成によって、隙間Ｓ２１、Ｓ２２、Ｓ２３から導入された空気は、第１案内パネル１２１の通気孔１２１ａから吸気口２１を経て、また、通気孔１２１ｂから吸気口２２を経て筐体１０１の内部へ吸引される。
【００３３】
図３・図４・図９に示すように、カバー材１２２と第２案内パネル１２３の外側には、これらを覆うように長板状のフレーム体２２０が固定される。図９に示すように、フレーム体２２０は、筐体１０１の上下方向において、隙間Ｓ２４によって、カバー材１２２及び第２案内パネル１２３と離間するように配置される。フレーム体２２０には、その厚み方向に貫通するように設けられたスリット２２１が設けられている。スリット２２１は、平面視において、第２案内パネル１２３と第１案内パネル１２１にほぼ対応する範囲に配置される。
【００３４】
このような構成により、フレーム体２２０のスリット２２１から吸い込まれた外気は、図９において矢印で示すように、カバー材１２２及び第２案内パネル１２３とフレーム体２２０との隙間Ｓ２４から、第１案内パネル１２１及び第２案内パネル１２３とカバー材１２２との隙間Ｓ２０を経て、第１案内パネル１２１と第２案内パネル１２３の隙間Ｓ２１、Ｓ２２、Ｓ２３を通り、最後に第１案内パネル１２１の通気孔１２１ａ、１２１ｂから吸気口２１、２２にそれぞれ至り、そして筐体１０１内へ吸い込まれる。この構成においては、フレーム体２２０のスリット２２１には第２案内パネル１２３が対向しているため、通気孔１２１ａ、１２１ｂや吸気口２１、２２には直接は面していない。よって、スリット２２１から水が浸入したとしても第２案内パネル１２３、カバー材１２２、及び、第１案内パネル１２１を経て筐体１０１内へ侵入することを防止できる。このため、図２（ａ）に示す縦置き状態はもちろん、図２（ｂ）に示すように、鉛直方向に沿ってフレーム体２２０を配置した横置き状態としても底板２０における防滴性を確保することができる。
【００３５】
図３・図４に示すように、右側面板３０の外側には右側面板３０を覆うように長板状の金属製のカバー材１３０が設置されており、さらに、カバー材１３０の外側にはカバー材１３０を覆うように長板状の金属製のフレーム体２３０が設けられている。この構成により、右側面板３０における防滴性が確保されるため、図２（ｂ）のようにフレーム体２３０を鉛直方向上側に配置するような横置き状態としても右側面板３０から筐体１０１の内部へ水が侵入することを防ぐことができる。また、カバー材１３０は右側面板３０との間に隙間が形成されるように配置されているため、放射孔１３１から放射された音がこの隙間内で伝導され、これによってカバー材１３０の振動に変換され、この振動がフレーム体２３０の外側に伝導される。
【００３６】
図３・図４に示すように、天板４０の外側には天板４０を覆うように長板状の金属製のカバー材１４０が設置されており、さらに、カバー材１４０の外側にはカバー材１４０を覆うように長板状の金属製のフレーム体２４０が設けられている。この構成により、天板４０における防滴性が確保されるため、図２（ａ）のようにフレーム体２４０を鉛直方向上側に配置するような縦置き状態としても天板４０から筐体１０１の内部へ水が侵入することを防ぐことができる。
【００３７】
図１（ａ）、（ｂ）に示すように、フレーム体２４０の前方端面には２つの支持部２４０ａ、２４０ｂが設けられている。これらの支持部２４０ａ、２４０ｂは、図８に示すように、表示機１００の左右方向に沿って見たときに下側が開いたコの字をなしており、これらの支持部２４０ａ、２４０ｂの内側に表面板１６０の上端部が収容される。また、フレーム体２２０の前方端面にも、表示機１００の左右方向に沿って見たときに上側が開いたコの字（図９参照）をなす、２つの支持部２２０ａ、２２０ｂが設けられており、これらの支持部２２０ａ、２２０ｂの内側に表面板１６０の下端部が収容される。さらにまた、フレーム体２２０、２４０と同様に、フレーム体２１０の前方端面においても、表示機１００の上下方向に沿って見たときに内側が開いたコの字をなす、３つの支持部２１０ａ、２１０ｂ、２１０ｃが設けられており、これらの支持部２１０ａ、２１０ｂ、２１０ｃの内側に表面板１６０の左端部が収容される。さらに、フレーム体２３０の前方端面においても、表示機１００の上下方向に沿って見たときに内側が開いたコの字をなす、３つの支持部２３０ａ、２３０ｂ、２３０ｃが設けられており、これらの支持部２３０ａ、２３０ｂ、２３０ｃの内側に表面板１６０の右端部が収容される。
【００３８】
筐体１０１の背面板５０の外側には、背面板５０に対応する四角形状の金属製のカバー材１５０が固定されている。このカバー材１５０には吸排気口は設けられていない。この構成により、背面板５０における防滴性が確保されるため、図２（ａ）のよう縦置き状態や図２（ｂ）のような横置き状態のいずれにおいても背面板５０から筐体１０１の内部へ水が侵入することを防ぐことができる。
【００３９】
表示機１００はさらに、図１４に示すように、制御部９０と、入力装置９３と、液晶表示部６２に係る記憶装置（ＬＣＤ）９４と、ＬＥＤ表示部６３に係る記憶装置（ＬＥＤ）９５とを備える。これらは、その一部又は全てを筐体１０１内に設けても良いし、外部に設けて無線又は有線によって筐体１０１内に設けた回路等と信号の授受を行っても良い。
【００４０】
制御部９０は、ＬＣＤコントローラ９１、ＬＥＤコントローラ９２を備える。制御部９０は、入力装置９３から与えられた信号にしたがって、ＬＣＤコントローラ９１、ＬＥＤコントローラ９２に制御信号や駆動信号を生成させる。
【００４１】
ＬＣＤコントローラ９１は、液晶表示部６２に対して、表示する映像や画像に対応する制御信号を出力し、ＬＥＤコントローラ９２は、ＬＥＤ表示部６３に対して、その表示内容に対応する制御信号を出力する。サウンドコントローラ９１ａを内蔵したＬＣＤコントローラ９１は、２つのスピーカー８１、８３に対して、その放射音に対応する駆動信号を出力する。ここで、第１スピーカー８１と第２スピーカー８３に与える駆動信号は同一のものでも異なるものでもよい。第１スピーカー８１と第２スピーカー８３とでは、表示機１００の外部への音の放射形態が異なるため、同じ駆動信号を与えても音の統一感に欠けるおそれがある。このため、例えば、第１スピーカー８１と第２スピーカー８３とで、内容・音量・タイミング等が互いに異なる音を出すように作成した音声データを記憶装置（ＬＣＤ）９４に記憶させておき、この記憶装置（ＬＣＤ）９４をサウンドコントローラ９１ａを内蔵したＬＣＤコントローラ９１に接続し、上記音声データに基づいて第１スピーカー８１と第２スピーカー８３から音を出力させることによって、同一の音を出すことでは得られない効果を発揮させることもでき、異なる駆動信号を与えることによって音の放射形態の違いを抑えることが可能となる。また、表示機１００の向きに応じて駆動信号を変更するようにしてもよい。
【００４２】
ＬＥＤコントローラ９２に内蔵されたファンコントローラ９２ｂは、排気ファン７１と軸流ファン７３の駆動のオン・オフを制御する。すなわち、表示機１００には温度センサ９６と照度センサ９７が設けられており、これらのセンサによる検知結果を、ファンコントローラ９２ｂ内に予め記憶した閾値と照らし合わせて、自動で駆動もしくは停止する動作を行う。排気ファン７１と軸流ファン７３の駆動は、互いに同期して行うと制御を簡便にすることができる。一方、排気ファン７１と軸流ファン７３は、互いに同期させずに駆動させてもよい。例えば、温度や照度が低いときには排気ファン７１のみを駆動させてもよい。また、排気ファン７１は連続駆動する一方で、軸流ファン７３は間欠的に駆動させるように駆動すると、駆動電流を小さくすることができる。さらにまた、温度センサ９６と照度センサ９７の検知結果の時間変化に基づいて、排気ファン７１と軸流ファン７３の駆動条件を変えると、駆動電流を抑えつつ最適な条件で所望の冷却性を確保することができる。
【００４３】
温度センサ９６は、表示機１００内の任意の位置に、任意の数を設けることができるが、例えば、液晶表示部６２、ＬＥＤ表示部６３、ＬＣＤコントローラ９１、及び、ＬＥＤコントローラ９２のように熱を発する部材に近傍に設けると良い。また、表示機１００の外側にも温度センサを設けると、表示機１００の内外の温度を検知できる。
照度センサ９７は、表示機１００の任意の位置に設けることができるが、例えば、日光が当たりやすい表面板１６０上、すなわち表示機１００の表面に設けると良い。
また、照度センサ９７の設置を省略して温度センサ９６の検知結果に基づいて、排気ファン７１と軸流ファン７３の駆動を制御するようにしてもよい。
【００４４】
排気ファン７１と軸流ファン７３の駆動動作の変更は、閾値のデータが記憶された記憶装置（ＬＥＤ）９５をＬＥＤコントローラ９２に接続し、入力装置９３を用いてファンコントローラ９２ｂから記憶装置（ＬＥＤ）９５へ制御信号を与え、これによって記憶装置（ＬＥＤ）９５に記憶されている該当のデータを上書きすることにより行うことができる。また、予め駆動時間帯や駆動する時間の間隔などを考慮して閾値を決定し、季節・天気・設置環境・液晶表示部６２やＬＥＤ表示部６３の動作温度・太陽光等に対する表示機１００の向きなどに応じて駆動条件を変更することもできる。
【００４５】
２つのスピーカー８１、８３、液晶表示部６２、及び、ＬＥＤ表示部６３のいずれか１つ又は２つ以上を組み合わせて駆動させる際には、ＬＥＤコントローラ９２およびＬＣＤコントローラ９１は、この駆動にかかわるデータをＬＥＤコントローラ９２は内蔵記憶装置９２ａから読み出し、ＬＣＤコントローラ９１は記憶装置（ＬＣＤ）９４から再生データを読み込み、このデータに基づいて、ＬＣＤコントローラ９１、ＬＥＤコントローラ９２のうちの対応するものが制御信号を生成し、対応する機器へ出力する。制御信号を受けた、２つのスピーカー８１、８３、液晶表示部６２、及び、ＬＥＤ表示部６３は所定の駆動を実行する。
【００４６】
入力装置９３は、２つのスピーカー８１、８３から放射させる音の選択や、液晶表示部６２やＬＥＤ表示部６３に表示させる内容の入力・選択を行うほか、表示機１００の向き、すなわち縦置き又は横置きの状態の特定に用いることができる。
ここで、入力装置９３の操作者が行う設定や操作には、少なくとも次の（ａ）、（ｂ）のいずれかが含まれる。
（ａ）入力装置９３を赤外線リモコンとし、この赤外線リモコンを操作することによって、その操作に対応する赤外線信号が制御部９０へ送信される。
（ｂ）無線または有線のＬＡＮ（Ｌｏｃａｌ  Ａｒｅａ  Ｎｅｔｗｏｒｋ）によって、入力装置９３と制御部９０が接続され、入力装置９３の操作に対応する信号が制御部９０へ出力される。
【００４７】
表示機１００においては、排気ファン７１を駆動させることによって、フレーム体２１０の第２スリット２１２と、フレーム体２２０のスリット２２１から外気が吸引される。このとき、図６（ａ）、（ｂ）において矢印で示すように、底板２０の吸気口２１、２２から排気ファン７１へ向かう空気の流れと、左側面板１０の吸気口１３から排気ファン７１へ向かう空気の流れが生じる。また、フレーム体２２０のスリット２２１から排気ファン７１側への空気の流れは、図７における矢印で示すように、ＬＥＤ表示部６３の背面６３ａ及び液晶表示部６２の背面６２ａとカバー材１５０との間の流れと、ＬＥＤ表示部６３の前面６３ｂ及び液晶表示部６２の前面６２ｂと表面板１６０との隙間Ｓ１０（空気流路）の流れとに別れる。この隙間Ｓ１０を流れた空気は、隙間Ｓ１０を出た後は、図７と図８に示すように、液晶表示部６２の上方に設けたシールド板６１によって排気ファン７１側へ導かれる。ここで、図７に示すように、フレーム体２２０とＬＥＤ表示部６３の間に、フレーム体２２０のスリット２２１から吸引された空気を隙間Ｓ１０の入口へ導く誘導板１７０を設けると隙間Ｓ１０内へ空気を確実に流入できるため好ましい。
【００４８】
排気ファン７１に加えて軸流ファン７３を駆動させると、液晶表示部６２の背面６２ａに空気を当てる流れを発生させ、液晶部分の温度上昇を抑制する。この軸流ファン７３近傍に吸気口１３があり、排気ファン７３の吸い込む作用により筐体内部では負圧を大気圧に戻そうとするため吸気口１３からも外気の吸気が行われ、軸流ファン７３と隙間Ｓ１０に誘導された低温の空気が液晶表示部６２の冷却を行う。これにより、特に、表示機１００を図２（ｂ）に示すよう横向き状態にしたときの空気の流れを円滑にして、高温の空気が滞留することを防止できる。
【００４９】
ここで、表示機１００を、図２（ａ）や図６に示すように排気ファン７１が上側に位置するような縦置き状態にした場合は、高温の空気が排気ファン７１の周囲に集まりやすいため、これを排気することで滞留量を減らすことが可能である。これに対して、表示機１００を横向き状態にした場合、表示機１００内における排気ファン７１の位置は最上方ではなくなり、また、高温の空気が滞留する範囲が上方に位置する第３側面板３０に沿って広がり、一方で、空気の流路が確保しにくいスピーカー８１周りは空気の動きが少なく滞留傾向になるため、排気ファン７１の駆動だけでは、筐体内の高温の滞留空気の排気が難しくなっている。これに対して、表示機１００においては、軸流ファン７３の近傍であって、横向き状態のときに下方に位置する左側面板１０に吸気口１３を設けたため、筐体１０１内に外気が導入されるルートが増え、筐体１０１内の空気の循環量を増やすことができることから高温の空気を排気しやすくでき、その滞留量を減らすことができる。また、軸流ファン７３の駆動によって、図１０の矢印で示すように、液晶表示部６２の背面６２ａに向かう空気量を増やすことがえきるため液晶表示部６２を冷却する効率を高めることができ、液晶表示部６２が高温になることによって受けるダメージを減らすことができ、さらに、液晶表示部６２の温度上昇を抑えることによって筐体１０１内の温度上昇を抑えることができる。
【００５０】
以下に変形例について説明する。
上述の実施形態においては、図２（ａ）、（ｂ）に示す２つの向きにおいて防滴性を確保するために、上側に配置されるフレーム体２３０、２４０に吸排気口を設けず、それ以外のフレーム体２１０、２２０にスリットを設けていたが、例えば、図２（ｂ）に示す状態に代えて、フレーム体２１０を上側に配置して横向き状態とすることが想定される場合には、フレーム体２１０には吸排気口は設けずに、下側に配置されるフレーム体２３０に吸排気口およびスリットを設ける構造とすればよい。
【００５１】
また、上述の実施形態においては、説明の便宜上、制御部９０においてＬＣＤコントローラ９１とＬＥＤコントローラ９２を分離したが、一つの基板上に構成することも可能である。
【００５２】
また、表示機１００の設置の向きを適切なセンサを取り付けることにより自動検知することも考えられ、入力装置から操作者が設定をする事を必要としないようにすることも可能である。
【００５３】
上記実施形態においては、サウンドコントローラ９１ａはＬＣＤコントローラ９１に内蔵され、ファンコントローラ９２ｂはＬＥＤコントローラ９２に内蔵されていたが、サウンドコントローラ９１ａはＬＣＤコントローラ９１に内蔵されずに、ＬＣＤコントローラ９１とは独立するように設けても良く、また、ファンコントローラ９２ｂはＬＥＤコントローラ９２に内蔵されずに、ＬＥＤコントローラ９２とは独立するように設けても良い。
本発明について上記実施形態を参照しつつ説明したが、本発明は上記実施形態に限定されるものではなく、改良の目的または本発明の思想の範囲内において改良または変更が可能である。
【産業上の利用可能性】
【００５４】
以上のように、本発明に係る表示機は、日光等によって高温となりやすく、防滴性が要求される環境下であっても、安定した動作を継続することができる点で有用である。
【符号の説明】
【００５５】
１０      左側面板（第１側面板）
１１      排気口
１２      放射孔
１３      吸気口（第１吸気口）
２０      底板（第２側面板）
２１、２２  吸気口（第２吸気口）
３０      右側面板（第３側面板）
４０      天板（第４側面板）
５０      背面板
６１      シールド板
６２      液晶表示部
６３      ＬＥＤ表示部
７１      排気ファン
７２      排気ダクト
７３      軸流ファン
８１、８３  スピーカー
８２、８４  スピーカーダクト
９０      制御部
９１      ＬＣＤコントローラ
９１ａ    サウンドコントローラ
９２      ＬＥＤコントローラ
９２ａ    内蔵記憶装置
９２ｂ    ファンコントローラ
９３      入力装置
９４      記憶装置（ＬＣＤ）
９５      記憶装置（ＬＥＤ）
９６      温度センサ
９７      照度センサ
１００    表示機
１０１    筐体
１０２    前面開口
１１１    第１ダクトパネル
１１１ａ  貫通孔
１１１ｂ  周縁部
１１１ｃ  凹部
１１２    第２ダクトパネル
１１２ａ  貫通孔
１１２ｂ  周縁部
１１２ｃ  凹部
１１３    カバー材
１２１    第１案内パネル
１２１ａ、１２１ｂ  通気孔
１２１ｃ  結合片
１２１ｄ  係止片
１２１ｅ  舌部
１２２    カバー材
１２３    第２案内パネル
１３０、１４０、１５０  カバー材
１３１    放射孔
１６０    表面板
１７０    誘導板
２１０、２２０、２３０、２４０  フレーム体
２１１、２１２、２２１、２２２  スリット
Ｓ１０、Ｓ２０、Ｓ２１、Ｓ２２、Ｓ２３、Ｓ２４  隙間
【図１】
2019015803.tif 000003
【図２】
2019015803.tif 000004
【図３】
2019015803.tif 000005
【図４】
2019015803.tif 000006
【図５】
2019015803.tif 000007
【図６】
2019015803.tif 000008
【図７】
2019015803.tif 000009
【図８】
2019015803.tif 000010
【図９】
2019015803.tif 000011
【図１０】
2019015803.tif 000012
【図１１】
2019015803.tif 000013
【図１２】
2019015803.tif 000014
【図１３】
2019015803.tif 000015
【図１４】
2019015803.tif 000016